(57)【要約】【課題】  表示禁止動作中（表示オフモード）にエラーが発生した場合に当該エラー発生の旨（およびその理由）をユーザに告知する。【解決手段】  コントローラ１１は、エラーの発生が検出され、かつ、表示部１２が表示オフモードにある場合に、表示部１２を表示オンモードに移行させる。そして、表示部１２において、発生したエラーに関する情報を表示させる。【選択図】      図１
2005190605.tif 000002
【特許請求の範囲】
【請求項１】
各種情報を表示する表示部と、
前記表示部における表示を行う表示オンモードと、前記表示部における表示を行わない表示オフモードと、を切り替える表示モード移行部と、
ユーザに告知すべきエラーの発生を検出するエラー検出部と、
前記エラーの発生が検出され、かつ、前記表示部が前記表示オフモードにある場合に、前記表示モード移行部に前記表示オンモードに移行させ、発生した前記エラーに関する情報を前記表示部において表示させるエラー表示制御部と、
を備えたことを特徴とするオーディオ装置。
【請求項２】
請求項１記載のオーディオ装置において、
前記表示部は、表示装置および当該表示装置を駆動する表示ドライバとを備え、
前記表示モード移行部は、前記表示オフモードにおいて、前記表示装置および前記表示ドライバに対する電源供給を遮断する、
ことを特徴とするオーディオ装置。
【請求項３】
各種情報を表示する表示部を備えたオーディオ装置の制御方法において、
ユーザに告知すべきエラーの発生を検出するエラー検出過程と、
前記エラーの発生が検出され、かつ、前記表示部における表示を行わない表示オフモードにある場合に、前記表示部を表示を行う表示オンモードに移行させる表示モード移行過程と、
発生した前記エラーに関する情報を前記表示部において表示させるエラー表示制御過程と、
を備えたことを特徴とするオーディオ装置の制御方法。
【請求項４】
請求項３記載のオーディオ装置の制御方法において、
前記表示部は、表示装置および当該表示装置を駆動する表示ドライバとを備え、
前記表示モード移行過程は、前記表示オフモードにおいて、前記表示装置および前記表示ドライバに対する電源供給を遮断する、
ことを特徴とするオーディオ装置の制御方法。
【請求項５】
各種情報を表示する表示部を備えたオーディオ装置をコンピュータにより制御するための制御プログラムにおいて、
ユーザに告知すべきエラーの発生を検出させ、
前記エラーの発生が検出され、かつ、前記表示部における表示を行わない表示オフモードにある場合に、前記表示部を表示を行う表示オンモードに移行させ、
発生した前記エラーに関する情報を前記表示部において表示させる、
ことを特徴とする制御プログラム。
【請求項６】
請求項５記載の制御プログラムの制御方法において、
前記表示部は、表示装置および当該表示装置を駆動する表示ドライバとを備え、
前記表示オフモードにおいて、前記表示装置および前記表示ドライバに対する電源供給を遮断させる、
ことを特徴とする制御プログラム。
【請求項７】
請求項５または請求項６記載の制御プログラムを記録したことを特徴とするコンピュータ読取可能な記録媒体。
【発明の詳細な説明】
【技術分野】
【０００１】
本発明は、オーディオ装置、オーディオ装置の制御方法、制御プログラムおよび記録媒体に係り、特に車載用として用いられるオーディオ装置ならびにその制御方法、制御プログラムおよび記録媒体に関する。
【背景技術】
【０００２】
従来より、車載用オーディオ装置には、液晶ディスプレイを備え、各種情報を表示するものが知られている（例えば、特許文献１参照）。
【特許文献１】特開２００２−１６０５５０号公報
【発明の開示】
【発明が解決しようとする課題】
【０００３】
上記従来の車載用オーディオ装置によれば、表示禁止動作中に、エラーが発生し、例えば、音声出力がなくなってしまった場合には、表示が禁止されているため、ユーザが音声出力がなくなった理由を把握することができなくなってしまうという問題点があった。
【０００４】
そこで、本発明の目的は、表示禁止動作中（表示オフモード）にエラーが発生した場合に当該エラー発生の旨（およびその理由）をユーザに告知することが可能となるオーディオ装置、オーディオ装置の制御方法、制御プログラムおよび記録媒体を提供することにある。
【課題を解決するための手段】
【０００５】
上記課題を解決するため、オーディオ装置は、各種情報を表示する表示部と、前記表示部における表示を行う表示オンモードと、前記表示部における表示を行わない表示オフモードと、を切り替える表示モード移行部と、ユーザに告知すべきエラーの発生を検出するエラー検出部と、前記エラーの発生が検出され、かつ、前記表示部が前記表示オフモードにある場合に、前記表示モード移行部に前記表示オンモードに移行させ、発生した前記エラーに関する情報を前記表示部において表示させるエラー表示制御部と、を備えたことを特徴としている。
【０００６】
上記構成によれば、エラー表示制御部は、エラーの発生が検出され、かつ、前記表示部が前記表示オフモードにある場合に、表示モード移行部に表示オンモードに移行させる。そして、表示部において、発生したエラーに関する情報を表示させる。
【０００７】
この場合において、前記表示部は、表示装置および当該表示装置を駆動する表示ドライバとを備え、前記表示モード移行部は、前記表示オフモードにおいて、前記表示装置および前記表示ドライバに対する電源供給を遮断するようにしてもよい。
【０００８】
また、各種情報を表示する表示部を備えたオーディオ装置の制御方法は、ユーザに告知すべきエラーの発生を検出するエラー検出過程と、前記エラーの発生が検出され、かつ、前記表示部における表示を行わない表示オフモードにある場合に、前記表示部を表示を行う表示オンモードに移行させる表示モード移行過程と、発生した前記エラーに関する情報を前記表示部において表示させるエラー表示制御過程と、を備えたことを特徴としている。
【０００９】
この場合において、前記表示部は、表示装置および当該表示装置を駆動する表示ドライバとを備え、前記表示モード移行過程は、前記表示オフモードにおいて、前記表示装置および前記表示ドライバに対する電源供給を遮断するようにしてもよい。
【００１０】
また、各種情報を表示する表示部を備えたオーディオ装置をコンピュータにより制御するための制御プログラムは、ユーザに告知すべきエラーの発生を検出させ、前記エラーの発生が検出され、かつ、前記表示部における表示を行わない表示オフモードにある場合に、前記表示部を表示を行う表示オンモードに移行させ、発生した前記エラーに関する情報を前記表示部において表示させることを特徴としている。
【００１１】
この場合において、前記表示部は、表示装置および当該表示装置を駆動する表示ドライバとを備え、前記表示オフモードにおいて、前記表示装置および前記表示ドライバに対する電源供給を遮断させるようにしてもよい。
また、上記各制御プログラムをコンピュータ読取可能な記録媒体に記録するようにしても良い。
【発明の効果】
【００１２】
本発明によれば、表示部が表示オフモードにある場合であっても、ユーザに告知すべきエラーが発生した場合には、表示部を表示オンモードに移行し、ユーザに発生したエラーに関する情報を告知することができる。
【発明を実施するための最良の形態】
【００１３】
次に本発明の好適な実施の形態について図面を参照して説明する。
図１は、実施形態の車載オーディオ装置の概要構成ブロック図である。
車載オーディオ装置１は、ＣＤ（Compact Disc）を再生して、ディジタル音声信号を出力するディジタル音声信号出力端子を有するＣＤドライブ２を備えている。
【００１４】
ＣＤドライブ２においてＣＤが再生されてディジタル音声信号出力端子から出力されたディジタル音声信号は、ＤＩＲ（Digital Interface Receiver）などで構成されたディジタルインターフェース３によりコントローラ１１の制御下で、当該ディジタル音声信号のシリアル／パラレル変換およびフォーマット検出を行って検出したフォーマットに対応するディジタル音声データとしてＤＳＰ（Digital Signal Processor）４のディジタル音声データ入力端子に出力される。ここで、ディジタルインターフェース３は、複数の排他的に利用可能なディジタル音声信号入力端子を備えている。
【００１５】
ＤＳＰ４は、コントローラ１１の制御下でディジタル音声データに対応する音声の所定帯域ごとにフィルタリング、ゲイン設定などのイコライジング処理、タイムディレイなどのサラウンド処理を施してＤ／Ａコンバータ（ＤＡＣ）５に出力する。
【００１６】
Ｄ／Ａコンバータ５は、コントローラ１１の制御下で入力された処理後のディジタル音声データのディジタル／アナログ変換を行って、ハイレンジＬチャネル音声信号、ハイレンジＲチャネル音声信号、ミドルレンジＬチャネル音声信号、ミドルレンジＲチャネル音声信号、ロウレンジＬチャネル音声信号、ロウレンジＲチャネル音声信号、サブウーファＬチャネル音声信号およびサブウーファＲチャネル音声信号として電子ボリューム６に出力する。
【００１７】
電子ボリューム６は、コントローラ１１の制御下で、ハイレンジＬチャネル音声信号、ハイレンジＲチャネル音声信号、ミドルレンジＬチャネル音声信号、ミドルレンジＲチャネル音声信号、ロウレンジＬチャネル音声信号、ロウレンジＲチャネル音声信号、サブウーファＬチャネル音声信号およびサブウーファＲチャネル音声信号の各音声信号の信号レベルを調整してミュート回路７にそれぞれ出力する。
【００１８】
ミュート回路７は、コントローラ１１の制御下でハイレンジＬチャネル音声信号、ハイレンジＲチャネル音声信号、ミドルレンジＬチャネル音声信号、ミドルレンジＲチャネル音声信号、ロウレンジＬチャネル音声信号、ロウレンジＲチャネル音声信号、サブウーファＬチャネル音声信号およびサブウーファＲチャネル音声信号をすべてミュート（無音）状態とし、あるいは、そのままアナログ出力端子部８を介して接続された外部のスピーカに出力することとなる。
【００１９】
また、車載オーディオ装置１は、ラジオ電波を受信して、アナログ音声信号を出力するチューナ９を備えている。また、車載オーディオ装置は、外部接続機器がバス接続される外部機器接続端子１６を備えており、この外部機器接続端子１６は、接続された外部機器よりアナログ音声信号が入力されるアナログ音声信号入力ラインを備えている。
【００２０】
これらの結果、チューナ９あるいは外部機器接続端子１６から入力されたアナログ音声信号は、セレクタ１０に入力され、コントローラ１１の制御下でいずれかのアナログ音声信号が選択的にＤＳＰ４のアナログ信号入力端子に出力されることとなる。そして、ＤＳＰ４に内蔵されたＡ／Ｄコンバータによりアナログ／ディジタル変換がなされて、アナログ音声データとなり、ディジタル音声データと同様に、コントローラ１１の制御下でアナログ音声データに対応する音声の所定帯域ごとにフィルタリング、ゲイン設定などのイコライジング処理、タイムディレイなどのサラウンド処理が施されてＤ／Ａコンバータ（ＤＡＣ）５に出力されることとなる。
【００２１】
さらに車載オーディオ装置１は、ＭＰＵ、ＲＡＭ、ＲＯＭなどを有するマイクロコンピュータとして構成され、あらかじめＲＯＭに格納した制御プログラムによってＭＰＵが動作し、上述したように車載オーディオ装置１の各部を制御するコントローラ１１を備えている。
【００２２】
このコントローラ１１には、各種操作キーが設けられた操作部１２が接続されており、ユーザが行った操作部１２における各種操作が入力され、コントローラ１１は入力されたキー操作に対応する処理を行うこととなる。また、コントローラ１１には、液晶ディスプレイ、ＥＬディスプレイなどの表示装置および当該表示装置を制御するための表示ドライバを有する表示部１３が接続されており、表示部１３はコントローラ１１の制御下で、動作状態、再生曲名、受信ラジオチャネルなどの各種情報を表示する。
【００２３】
さらにまた、車載オーディオ装置１は、外部接続機器が光接続され、光／電変換あるいは電／光変換を行う光入出力端子１５を備えており、この光入出力端子１５は、入出力切替部１４に接続されている。
【００２４】
入出力切替部１４は、コントローラ１１の制御下で入力側あるいは出力側に排他的に切り替えられ、光入出力端子１５を出力端子として用いる場合には、光入出力端子１５にＣＤドライブ２のディジタル音声信号出力端子を接続し、光入出力端子１５を入力端子として用いる場合には、光入出力端子１５にディジタルインターフェース３の所定のディジタル音声信号入力端子を接続する。
【００２５】
図２は、車載オーディオ装置のフロントパネルの正面図である。
車載オーディオ装置１のフロントパネル１の中心部には、上述した液晶ディスプレイ、ＥＬディスプレイなどの表示装置を有する表示部１３が配置され、動作状態、再生トラック番号、再生曲名、受信ラジオチャネルなどの各種情報が表示される。
【００２６】
この表示部１３の表示装置の左側には、回転操作により音量調整を行い、プッシュ操作によりミュート回路７を動作させてミュート状態とするためのボリュームスイッチ２０が設けられている。
【００２７】
ボリュームスイッチ２０の左下方向には、各種調整を行うためのアジャスト画面を表示部１３に表示すべくプッシュ操作を行うアジャストスイッチ２１が配置されている。また、ボリュームスイッチ２０の左上方向には、プッシュ操作により車載オーディオ装置１の動作モードを切り替える動作モードスイッチ２３が配置されている。
【００２８】
また、表示部１３の右側には、操作部１２を構成するとともに、動作モードに応じて各種入力を行うための操作キー２２が配置されている。この操作キー２２は、第１操作キー２２ａ、第２操作キー２２ｂおよび第３操作キー２２ｃを備えている。これらの第１〜第３操作キー２２ａ〜２２ｃは、シーソー式のスイッチとなっており、本実施形態では、第１操作キー２２ａ、第２操作キー２２ｂおよび第３操作キー２２ｃは、上部あるいは下部を押圧することによりそれぞれのプリセット機能を実現する。
【００２９】
具体的には、第１操作キー２２ａの上部を押圧した場合には、以下の操作が行える。
ＣＤ再生時あるいはＣＤオートチェンジャを外部接続機器として接続しているときは、スキャン（ＳＣＮ）キーとして動作し、アジャスト画面表示時には、カーソルを左方向（あるいは上位階層）に移動させるキーとして動作する。
また、第１操作キー２２ａの下部を押圧した場合には、以下の操作が行える。
【００３０】
ＣＤオートチェンジャを外部接続機器として接続している場合には、複数のディスクのうち第１の方向にディスクを切り替えるキーとして動作し、アジャスト画面表示時には、カーソルを下方向（あるいは同一階層で次の項目）に移動させるキーとして動作する。
【００３１】
また、第２操作キー２２ｂの上部を押圧した場合には、以下の操作が行える。
ＣＤ再生時あるいはＣＤオートチェンジャを外部接続機器として接続しているときは、リピート再生（ＲＰＴ）キーとして動作し、アジャスト画面表示時には、カーソルを右方向（あるいは下位階層）に移動させるキーとして動作する。
また、第２操作キー２２ｂの下部を押圧した場合には、以下の操作が行える。
【００３２】
ＣＤオートチェンジャを外部接続機器として接続している場合には、複数のディスクのうち第１の方向とは逆の第２方向にディスクを切り替えるキーとして動作し、アジャスト画面表示時には、カーソルを上方向（あるいは同一階層で前の項目）に移動させるキーとして動作する。
【００３３】
また、第３操作キー２２ｃの上部を押圧した場合には、以下の操作が行える。
ＣＤ再生時あるいはＣＤオートチェンジャを外部接続機器として接続しているときは、ランダム再生（ＲＤＭ）キーとして動作する。
また、第２操作キー２２ｂの下部を押圧した場合には、ユーザがあらかじめプリセットした機能（初期状態では、割り当て無し）の操作が行える。
【００３４】
また、表示部１３の上方向には、ＣＤを挿入するためのＣＤ挿入口２ＡおよびＣＤイジェクトボタン２Ｂが配置されている。
さらに、表示部１３の下方向には、電源オン／オフ兼ファンクションキー、サーチアップキー、プレイ／ポーズ兼入力確定（ＥＮＴ）キー、サーチダウンキー、バンド切替（ラジオ受信時）／先頭曲移動（ＣＤ再生時）／先頭ディスク移動（ＣＤチェンジャ再生時）キーを有し、操作部１２の一部を構成する基本操作部２４が設けられている。
【００３５】
さらにまた、表示部１３の左下方には、表示部１３における表示オン／表示オフをユーザが切り替えるためのディスプレイキー２５が配置されている。この場合において、表示オフとは、単に表示装置における表示を行わないばかりでなく、表示部１３を構成する表示装置および表示ドライバへの電源供給が遮断される状態をいう。
【００３６】
ここで、表示部１３における表示オン／表示オフの切替処理について説明する。
図３は、キー操作に伴う表示オン／表示オフの切替処理の処理フローチャートである。  図４は、表示オン／表示オフ処理の処理フローチャートである。
【００３７】
まず、エラーが発生していない場合の動作について説明する。
操作部１２の表示／非表示切替を行うディスプレイキー２４を操作すると、表示オン／オフ処理に移行する（ステップＳ１）。
【００３８】
表示オン／オフ処理において、コントローラ１１は、現在の表示部が表示オン中、すなわち、各種情報の表示を行っている状態であるか否かを判別する（ステップＳ１１）。
【００３９】
ステップＳ１１の判別において、表示部が表示オン中である場合には、コントローラ１１は、ユーザに告知が必要な何らかのエラーが発生しているか否かを判別する（ステップＳ１２）。
【００４０】
この場合には、エラーは発生していないので、コントローラ１１は、処理をステップＳ１３に移行し、表示部１３への電源供給を停止し、非表示状態とする（ステップＳ１３）。
【００４１】
次にコントローラ１１は、表示部１３の状態が非表示状態であることを記憶すべく、表示オンフラグをクリアし（ステップＳ１４）、表示オン／表示オフ処理を終了する。具体的には、表示オンフラグ＝“０”として処理を終了する。
【００４２】
ステップＳ１１の判別において、表示部が表示オフ中である場合には、コントローラ１１は、表示部１３への電源供給を開始し、表示状態とする（ステップＳ１５）。
【００４３】
次にコントローラ１１は、表示部１３の状態が表示状態であることを記憶すべく、表示オンフラグをセットし（ステップＳ１５）、表示オン／表示オフ処理を終了する。具体的には、表示オンフラグ＝“１”として処理を終了する。
【００４４】
図５は、定周期で実行される表示処理の処理フローチャートである。
通常時の処理において、コントローラ１１は、定周期で表示処理を実行している。
具体的には、コントローラ１１は、表示処理を行うタイミングに至ると、表示オンフラグ＝１であるか否かを判別する（ステップＳ２１）。
【００４５】
ステップＳ２１の処理において、表示オンフラグ≠１である場合には、現在は、表示部１３の状態が非表示状態であるので、そのまま処理を終了する。
【００４６】
ステップＳ２１の判別において、表示オンフラグ＝１である場合には、現在は、表示部１３の状態が表示状態であるので、コントローラはユーザに告知が必要な何らかのエラーが発生しているかを判別する（ステップＳ２２）。
【００４７】
この場合にはエラーは発生していないので、コントローラ１１は、処理をステップＳ２３に移行し、動作モードおよび動作状態に応じた通常ステータスにより表示データを作成する（ステップＳ２３）。
【００４８】
次にコントローラ１１は、表示部１３を構成する表示ドライバと通信処理を行って（ステップＳ２４）、表示部１３に表示を行わせて表示処理を終了する。
【００４９】
次に、エラーが発生している場合の動作について説明する。
発生するエラーとして考えられるものとしては、例えば、ＣＤ再生の場合には、ディスクのキズ、汚れ、変形（そり）などによるデータ読出不能状態、ディスクの誤挿入（表裏反転、ＤＶＤ挿入など）によるデータ読出不能状態、光ヘッドユニットあるいはＣＤの回転駆動用モータの故障などによるものが考えられる。
【００５０】
図６は、エラー発生に伴う表示オン／表示オフの切替処理の処理フローチャートである。
コントローラは、ユーザに告知すべきエラーが発生すると、表示オン／オフ処理に移行する（ステップＳ３１）。
【００５１】
表示オン／オフ処理において、コントローラ１１は、現在の表示部が表示オン中、すなわち、各種情報の表示を行っている状態であるか否かを判別する（ステップＳ１１）。
【００５２】
ステップＳ１１の判別において、表示部が表示オン中である場合には、コントローラ１１は、ユーザに告知が必要な何らかのエラーが発生しているか否かを判別する（ステップＳ１２）。
この場合には、エラーが発生しているので、コントローラ１１は、表示オン／オフ処理を終了する。
【００５３】
ステップＳ１１の判別において、表示部１３が表示オフ中である場合には、コントローラ１１は、表示部１３への電源供給を開始し、表示状態とする（ステップＳ１５）。
【００５４】
次にコントローラ１１は、表示部１３の状態が表示状態であることを記憶すべく、表示オンフラグをセットし（ステップＳ１６）、表示オン／表示オフ処理を終了する。具体的には、表示オンフラグ＝“１”として処理を終了する。
【００５５】
エラー発生時においても、コントローラ１１は、定周期で表示処理を実行している。
具体的には、コントローラ１１は、表示処理を行うタイミングに至ると、表示オンフラグ＝１であるか否かを判別する（ステップＳ２１）。
【００５６】
ステップＳ２１の判別において、エラー発生時には、表示部１３が表示状態あるいは非表示状態であっても、表示オンフラグ＝１であるので、コントローラ１１は、必ず、処理をステップＳ２２に移行し、ユーザに告知が必要な何らかのエラーが発生しているかを判別する（ステップＳ２２）。
【００５７】
この場合にはエラーが発生しているので、コントローラ１１は、処理をステップＳ２５に移行し、発生したエラー状態に応じたエラーステータスによりエラーをユーザに告知するための表示データを作成する（ステップＳ２５）。
【００５８】
次にコントローラ１１は、表示部１３を構成する表示ドライバと通信処理を行って（ステップＳ２４）、表示部１３にエラーを告知するための表示を行わせて表示処理を終了する。
【００５９】
以上の説明のように、本実施形態によれば、消費電力低減などの理由により、表示部を非表示状態（表示オフ）とすることが可能な車載オーディオ装置において、エラー発生時には、表示部を強制的に表示状態として、エラーをユーザに告知するので、ユーザが状態を把握できずにとまどうこともない。
【００６０】
以上の説明においては、車載オーディオ装置を例として説明したが、これに限られるものではなく、据置型オーディオ装置、オーディオ再生機能付きの携帯電話、ＰＤＡ、ＰＨＳ、携帯型パーソナルコンピュータなどの携帯型電子機器に組み込むように構成することも可能である。
【００６１】
以上の説明においては、車載オーディオ装置の制御プログラムをＲＯＭに記憶している場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。
【図面の簡単な説明】
【００６２】
【図１】実施形態の車載オーディオ装置の概要構成ブロック図である。
【図２】車載オーディオ装置のフロントパネルの正面図である。
【図３】キー操作に伴う表示オン／表示オフの切替処理の処理フローチャートである。
【図４】表示オン／表示オフ処理の処理フローチャートである。
【図５】定周期で実行される表示処理の処理フローチャートである。
【図６】エラー発生に伴う表示オン／表示オフの切替処理の処理フローチャートである。
【符号の説明】
【００６３】
１…車載オーディオ装置
１ａ…フロントパネル
２…ＣＤドライブ
３…ディジタルインターフェース
４…ＤＳＰ
５…Ｄ／Ａコンバータ
６…電子ボリューム
７…ミュート回路
８…アナログ出力端子部
９…チューナ
１０…セレクタ
１１…コントローラ（表示モード移行部、エラー検出部、エラー表示制御部）
１２…操作部
１３…表示部
１４…入出力切替部
１５…光入出力端子
１６…外部機器接続端子
２０…ボリュームスイッチ
２１…アジャストスイッチ
２２…操作キー
２２ａ…第１操作キー
２２ｂ…第２操作キー
２２ｃ…第３操作キー
２３…モード切替スイッチ
２４…基本操作部
２５…ディスプレイキー
【図１】
2005190605.tif 000003
【図２】
2005190605.tif 000004
【図３】
2005190605.tif 000005
【図４】
2005190605.tif 000006
【図５】
2005190605.tif 000007
【図６】
2005190605.tif 000008